(57)【特許請求の範囲】
【請求項１】
通信相手である通信相手端末との間で複数のメディアデータからなるサービスのセッション接続中に、パーソナルエリアネットワークを構成する他の通信端末の端末能力を問い合わせる端末能力問合せ手段と、
前記端末能力問合せ手段にて得られた他の通信端末の端末能力および自端末の端末能力に基づいて、前記メディアデータを送受信する通信端末であるサービス受信端末を、前記複数のメディアデータ毎に選択する通信端末選択手段と、
前記通信端末選択手段にて選択されたサービス受信端末に選択された少なくとも一つのサービス受信端末と前記通信相手端末との間で通信するためのセッション接続を移行させる移行メッセージを、前記選択されたサービス受信端末へ送信するセッション制御手段と、
を備える通信端末。
【請求項２】
前記移行メッセージは、前記選択されたサービス受信端末を前記メディアデータ毎の受信先情報として含む請求項１に記載の通信端末。
【請求項３】
前記セッション制御手段による移行メッセージに応じて、前記サービス受信端末と前記通信相手端末とのセッションが接続された後に、前記通信相手端末とのセッションを切断させるためのメッセージを前記通信相手端末に送信する送信手段を備える請求項１又は２に記載の通信端末。
【請求項４】
パーソナルエリアネットワークを構成し、通信相手である通信相手端末との間で複数のメディアデータからなるサービスのセッション接続中の他の通信端末から、セッション接続と、前記メディアデータの受信先を移行する要請が記述された移行メッセージを受信する受信手段と、
前記移行メッセージに指定されているメディアデータを指定して、前記通信相手端末との間でセッションを接続させるメッセージを送信するセッション制御手段と、
を備える通信端末。
【請求項５】
自端末と共にパーソナルエリアネットワークを構成するサービス受信端末が通信相手端末との間で複数のメディアデータからなるセッション接続中に、その通信中のメディアデータの情報を前記サービス受信端末に問い合わせるメディアデータ問合せ手段と、
前記メディアデータ問合せ手段にて得られた通信中のメディアデータと自端末の端末能力とに基づいて、自端末が通信可能なメディアデータがあるか否かを判定する通信可能メディア判定手段と、
前記通信可能メディア判定手段にて通信可能なメディアがあると判定された場合に、そのメディアデータをサービス受信端末と通信相手端末との間のセッション接続から自端末へ出力切替えを指示するためのメッセージを前記サービス受信端末へ送信し、前記サービス受信端末から前記通信相手端末に、前記サービス受信端末が指示されている端末能力に従って、メディアデータの出力先変更のメッセージを送信させるセッション切替要求送受信手段と、
を備える通信端末。
【請求項６】
自端末と共にパーソナルエリアネットワークを構成するサービス受信端末が通信相手端末との間で複数のメディアデータからなるセッション接続中に、その通信中のメディアデータの情報を前記サービス受信端末に問い合わせるメディアデータ問合せ手段と、
前記メディアデータ問合せ手段にて得られた通信中のメディアデータと自端末の端末能力とに基づいて、自端末が通信可能なメディアデータがあるか否かを判定する通信可能メディア判定手段と、
前記通信可能メディア判定手段にて通信可能なメディアデータがあると判定された場合に、そのメディアデータをサービス受信端末と通信相手端末との間のセッション接続を自端末へ指定したメディアデータの複製の送信を指示するメッセージを前記サービス受信端末へ送信し、前記サービス受信端末から前記通信相手端末に、前記サービス受信端末が指示されている端末能力に従って、メディアデータの出力先複製のメッセージを送信させるセッション複製要求送受信手段と、
を備える通信端末。
【発明の詳細な説明】
【技術分野】
【０００１】
本発明は、ＩＰネットワークにおける通信技術に関し、より具体的には、最適な通信端末への切替え、および、サービスモビリティを実現する通信端末に関する。
【背景技術】
【０００２】
近年、携帯電話やＰＤＡ等のモバイル端末の普及に伴い、ユーザが移動しながら通話やテレビ電話等の通信を行うことが一般的になってきている。しかし、モバイル端末は、携帯および装着を優先していることから、小型・軽量・バッテリー駆動という物理的な制約を抱えている。従って、モバイル端末に、大画面・サラウンドスピーカー・高速ＣＰＵ・大容量メモリ・キーバードなどを搭載するのは困難であった。このため、モバイル端末では、例えば小さな画面で映像を視聴せざるを得ず、ユーザのサービス享受に関する利便性が欠如する傾向にあった。
【０００３】
近年、ネットワークに接続可能な通信端末数が増加傾向にあることから、移動中にはモバイル端末を利用し、移動していない場合には周辺に存在する他の通信端末を用いて、ユーザの要求を満たす高度なサービスを享受することが可能になりつつある。これにより、ユーザの利便性を向上させることが期待されている。
【０００４】
また、モバイル端末が移動を開始する場合には、周辺の通信端末で受信していたサービスの途切れを感じないほどの速さ、つまり、ユーザにとっては、見かけ上、サービスを継続させたまま、周辺の通信端末からモバイル端末へサービス受信端末を切替えることで、サービスモビリティを向上させ、ユーザの利便性をさらに向上させることが期待されている。
【０００５】
このようなサービスモビリティをデータ受信端末の切替えとしてだけ捉えた場合、従来技術としてはＳＩＰ（Session  Initiation  Protocol：IETF  RFC3261）で実現されているＩＰ電話の転送サービスが有名である。
【０００６】
また、ＳＩＰを利用することでサービスモビリティを実現する技術が非特許文献１に開示されている。非特許文献１では、通信サービス中にモバイル端末が移動しているときに、その周辺に存在する通信端末をサーチする。そして、モバイル端末より、通信中のサービスを受信するのに適しており、かつセッション制御手段を保持する通信端末を発見した場合には、サービス受信端末をモバイル端末から発見した通信端末へ切り替えることで、ユーザは、より高度なサービスの提供を受けることができる。また、据え置き型の通信端末を利用して、サービスを受信しているユーザが移動する場合には、その通信端末からモバイル端末へサービス受信端末を切り替えることで、移動中の継続したサービス受信も可能にしている。
【０００７】
【非特許文献１】「ユビキタスネットワークにおけるサービスモビリティ技術の提案」（NTTR&D  Vol.52No.3）、中西孝夫他
【０００８】
これらの技術により、移動中にはモバイル端末を利用し、例えば、家やオフィスにいる間など、移動しない場合には、機能性・操作性に優れた通信端末を利用することにより、ユーザ要求を満たす高度なサービス受信を可能にしている。
【発明の開示】
【発明が解決しようとする課題】
【０００９】
しかしながら、従来技術では、ＩＰ電話の転送が目的であり、転送先と転送元は一対一であった。転送元が転送先の通信端末さえ指定すれば、転送後の端末能力を転送先自身の端末能力に基づいて決定したとしても、ＩＰ電話の転送は可能であるため、ユーザの利便性は失われなかった。また、非特許文献１でも、従来技術を利用していることから、モバイル端末は、切替先通信端末を選択し、切替えの指示をすると、その後は、切替先通信端末が、切替先通信端末自身の端末能力に基づいて、切替え後の端末能力を決定している。
【００１０】
これにより、モバイル端末を使用するユーザが、切替先通信端末へ切り替え後の端末能力を、明示的に指定したり、切替先通信端末を複数指定することはできなかった。つまり、複数のメディアで構成されたサービスを受信中のモバイル端末が、メディアデータ種別に基づいて、複数の切替先通信端末を指定し、サービス受信端末を切替えることができなかった。
【００１１】
本発明は、上記背景に鑑み、メディアデータ種別に基づいて、サービス受信端末を複数の通信端末への指定、切替えを行う通信端末を提供することを目的とする。また、ある通信端末で受信されている複数メディアデータで構成されたサービスを、他の通信端末へ一部のメディアデータ受信だけを柔軟に複製・移動することで、ユーザ利便性を向上したサービスモビリティを搭載した通信端末を提供することを目的とする。
【課題を解決するための手段】
【００１２】
本発明の通信端末は、通信相手である通信相手端末との間で複数のメディアデータからなるサービスのセッション接続中に、パーソナルエリアネットワーク（ＰＡＮ）を構成する他の通信端末の端末能力を問い合わせる端末能力問合せ手段と、前記端末能力問合せ手段にて得られた他の通信端末の端末能力および自端末の端末能力に基づいて、前記メディアデータを送受信する通信端末であるサービス受信端末を、前記複数のメディアデータ毎に選択する通信端末選択手段と、前記通信端末選択手段にて選択されたサービス受信端末に選択された少なくとも一つのサービス受信端末と前記通信相手端末との間で通信するためのセッション接続を移行させる移行メッセージを、前記選択されたサービス受信端末へ送信するセッション制御手段とを備える。
【００１３】
この構成により、端末能力に応じて通信端末を選択することにより、ＰＡＮを構成する通信端末の中からメディアデータを受信するのに最適な端末を決定し、決定された端末にセッション接続を移行できる。
【００１４】
上記の通信端末において、前記移行メッセージは、前記選択されたサービス受信端末を前記メディアデータ毎の受信先情報として含んでもよい。
【００１５】
これにより、通信端末は、セッション接続されているメディアデータの少なくとも一つを、そのメディアデータに適する他の通信端末であるサービス受信端末に通信させることができ、ユーザのサービス享受に関する利便性を向上させることが可能になる。
【００１６】
上記の通信端末は、前記セッション制御手段による移行メッセージに応じて、前記サービス受信端末と前記通信相手端末とのセッションが接続された後に、前記通信相手端末とのセッションを切断させるためのメッセージを前記通信相手端末に送信する送信手段を備えてもよい。
【００１７】
このように、他の通信端末であるサービス受信端末と通信相手端末との間でセッションが接続された後に、そのセッションで通信されるメディアデータの自端末への送信を中止することで、メディアデータを受信する通信端末を完全に切り替えることができる。これにより、サービスを享受するユーザに対して、同じメディアを重複して通信する不都合を防止できる。
【００１８】
本発明の別の態様に係る通信端末は、パーソナルエリアネットワーク（ＰＡＮ）を構成し、通信相手である通信相手端末との間で複数のメディアデータからなるサービスのセッション接続中の他の通信端末から、セッション接続と、前記メディアデータの受信先を移行する要請が記述された移行メッセージを受信する受信手段と、前記移行メッセージに指定されているメディアデータを指定して、前記通信相手端末との間でセッションを接続させるメッセージを送信するセッション制御手段とを備える。
【００１９】
この構成により、ＰＡＮを構成する他の通信端末で行っていたセッションを引き継ぐことができる。
【００２０】
上記通信端末は、前記通信端末選択手段によって、通信相手端末との間で通信されているすべてのメディアデータ種別ごとにサービス受信端末が選択された場合には、前記セッション接続要求送受信手段にて送信されたセッションの接続を切替えるメッセージによって、選択された端末能力を有するサービス受信端末と前記通信相手端末との間にセッションが接続された後に、自端末と前記通信相手端末との間のセッションを切断するためのメッセージを前記通信相手端末に送信する切断メッセージ送信手段を備えてもよい。
【００２１】
このように、すべてのメディアデータがサービス受信端末と通信相手端末との間で、セッションで通信される場合には、自端末と通信相手端末とのセッションを切断することにより、メディアの通信端末を切り替えることができる。これにより、サービスを享受するユーザに対して、同じメディアを重複して通信する不都合を防止できる。
【００２２】
本発明の別の態様に係る通信端末は、自端末と共にパーソナルエリアネットワークを構成するサービス受信端末が通信相手端末との間で複数のメディアデータからなるセッション接続中に、その通信中のメディアデータの情報を前記サービス受信端末に問い合わせるメディアデータ問合せ手段と、前記メディアデータ問合せ手段にて得られた通信中のメディアデータと自端末の端末能力とに基づいて、自端末が通信可能なメディアデータがあるか否かを判定する通信可能メディア判定手段と、前記通信可能メディア判定手段にて通信可能なメディアがあると判定された場合に、そのメディアデータをサービス受信端末と通信相手端末との間のセッション接続から自端末へ出力切替えを指示するためのメッセージを前記サービス受信端末へ送信し、前記サービス受信端末から前記通信相手端末に、前記サービス受信端末が指示されている端末能力に従って、メディアデータの出力先変更のメッセージを送信させるセッション切替要求送受信手段とを備える。
【００２３】
このようなセッション接続要求送受信手段を備えることにより、サービス受信端末で通信中のメディアデータの送受信先を自端末に変更できる。自端末がモバイル端末である場合には、メディアデータの少なくとも一つを持ち運び可能にでき、ユーザのサービス享受に関する利便性を向上できる。
【００２４】
本発明の別の態様に係る通信端末は、自端末と共にパーソナルエリアネットワークを構成するサービス受信端末が通信相手端末との間で複数のメディアデータからなるセッション接続中に、その通信中のメディアデータの情報を前記サービス受信端末に問い合わせるメディアデータ問合せ手段と、前記メディアデータ問合せ手段にて得られた通信中のメディアデータと自端末の端末能力とに基づいて、自端末が通信可能なメディアデータがあるか否かを判定する通信可能メディア判定手段と、前記通信可能メディア判定手段にて通信可能なメディアデータがあると判定された場合に、そのメディアデータをサービス受信端末と通信相手端末との間のセッション接続を自端末へ指定したメディアデータの複製の送信を指示するメッセージを前記サービス受信端末へ送信し、前記サービス受信端末から前記通信相手端末に、前記サービス受信端末が指示されている端末能力に従って、メディアデータの出力先複製のメッセージを送信させるセッション複製要求送受信手段とを備える。
【００２５】
このようにセッション切替要求送受信手段を備えることにより、サービス受信端末で通信中のメディアデータの送受信先を自端末に複製できる。自端末がモバイル端末である場合には、サービス受信端末ではそのメディアデータを受信したまま、モバイル端末ではメディアデータの一部を持ち運び可能にでき、ユーザのサービス享受に関する利便性を向上できる。
【発明の効果】
【００２６】
本発明によれば、他の通信端末に送信するメッセージに、複数のメディアデータ出力先情報を含むことで、セッションで通信されるメディアデータの一部を、それに適する他の通信端末であるサービス受信端末に出力先を変更追加させることができる。また、サービス受信端末切替え時の端末能力を指定し、少なくとも一つの他の通信端末をサービス受信端末として切り替えることにより、ユーザのサービス享受に関する利便性を向上させることが可能となる。
【発明を実施するための最良の形態】
【００２７】
以下、本発明の実施の形態について、図面を用いて説明する。
（第１の実施の形態）
図１は、本発明の実施の形態のモバイル端末１０１の構成を示す図である。図１を用いて、本実施の形態のモバイル端末１０１について説明する前に、モバイル端末１０１が適用されるネットワーク構成について、図２を用いて説明する。なお、本実施の形態では、自端末をモバイル端末１０１として説明するが、自端末は、必ずしも携帯できる通信端末である必要はない。
【００２８】
図２は、本実施の形態のモバイル端末１０１が適用されるネットワーク構成を示す図である。図２に示すように、ＩＰネットワーク１００を介して、モバイル端末１０１、通信端末１０２、通信端末１０３、通信端末１０４が接続されている。ＩＰネットワーク１００は、例えば、電話網、セルラー、無線ＬＡＮ、インターネットなどである。
【００２９】
モバイル端末１０１は、例えば、ＰＤＡ、携帯電話、その他のモバイル機器などのように持ち運びが可能な通信端末である。通信端末１０２〜１０４は、例えば、ＰＣ、プリンターなどのＯＡ機器やＴＶ、ＤＶＤ、スピーカなどのＡＶ機器といったネットワーク接続が可能な据え置き通信端末である。また、通信端末１０２、１０３、およびモバイル端末１０１は、近接無線、例えば、Ｂｌｕｅｔｏｏｔｈ（登録商標）やＩｒＤＡ（Ｉｎｆｒａｒｅｄ  Ｄａｔａ  Ａｓｓｏｃｉａｔｉｏｎ）、ＵＷＢ（Ｕｌｔｒａ  ＷｉｄｅＢａｎｄ）、ＲＦＩＤなどで、ＰＡＮ（Ｐｅｒｓｏｎａｌ  Ａｒｅａ  Ｎｅｔｗｏｒｋ）１０５を構成している。ＰＡＮ１０５内のモバイル端末１０１、通信端末１０２、１０３は、ＩＰネットワーク１００を介さずに互いに通信が可能である。
【００３０】
次に、本実施の形態のモバイル端末１０１について、図１を参照しながら説明する。なお、通信端末１０２〜１０４は、サービスの切替え制御を行う構成に関しては、モバイル端末１０１と同じ構成を有する。なお、本実施の形態での「切替え」とは、モバイル端末１０１が利用していたサービスを、メディアデータ毎に、他の通信端末に移行することである。これにより、切り替え後は、モバイル端末１０１はサービスを利用する状態にはない。
【００３１】
モバイル端末１０１は、データ送受信のためのインターフェースとして、ネットワーク送受信部２００と近接無線送受信部２０５を備えている。ネットワーク送受信部２００は、ＩＰネットワーク１００を介して、例えば、テキストデータ、音声データ、映像データなどのマルチメディアデータを送受信する。ネットワーク送受信部２００は、データ送受信部２０１に接続されている。データ送受信部２０１は、ネットワーク送受信部２００から受信したデータをデコードし、送信するデータをエンコードする機能を有する。近接無線送受信部２０５は、ＰＡＮ１０５内の通信端末とのデータの送受信を行う。
【００３２】
また、モバイル端末１０１は、例えば、ユーザの入出力インターフェースとして入出力部２０２を備えている。入出力部２０２は、ユーザからのテンキー、ペン、ボタンなどによる入力を受け付け、処理結果等をディスプレイ、スピーカなどに出力する。
【００３３】
また、モバイル端末１０１は、サービス受信端末の切替えを行うために、能力情報送受信部２０４、サービス端末決定部２０６、セッション制御部２０７、セッションデータベース（以下、セッションＤＢという）２０９を備えている。能力情報送受信部２０４は、ＰＡＮ１０５を構成する通信端末の能力情報の送受信を行う機能を有する。例えば、能力情報送受信部２０４は、ＵＰｎＰ（Ｕｎｉｖｅｒｓａｌ  Ｐｌａｇ  ａｎｄ  Ｐｌａｙ）、ＳＬＰ（Ｓｅｒｖｉｃｅ  Ｌｏｃａｔｉｏｎ  Ｐｒｏｔｏｃｏｌ）などの機能を有する。サービス端末決定部２０６は、能力情報送受信部２０４で受信した端末能力情報、例えば、コーデック種別、画面サイズなどに基づいて、サービス受信可能な通信端末を選択する機能を有する。
【００３４】
なお、サービス端末決定部２０６は、その結果を、ユーザに切替先端末を選択させるために、全体制御部２０３を介し、入出力部２０２へ表示出力を依頼するとともに、ユーザからの選択結果を、全体制御部２０３を介して受信する機能を有してもよい。
【００３５】
セッション制御部２０７は、サービス端末決定部２０６から依頼されたサービス受信端末を切替える端末切替部２０８と、マルチメディアデータ通信のセッションを開設／切断する機能とを有する。端末切替部２０８は、選択結果が付加されているサービス受信端末切替えの依頼を受け付けると、その依頼に基づき、端末切替えメッセージを作成し、ネットワーク送受信部２００へメッセージの送信を依頼する。また、端末切替部２０８は、ネットワーク送受信部２００を介して端末切替えメッセージに対する応答を受信する。本端末切替えメッセージについて説明する。
【００３６】
図３（ａ）は、端末切替部２０８が作成するメッセージの構成例である。端末切替えメッセージは、端末切替指示３００に続いて、制御信号をやり取りする端末として切替先通信端末を示す切替先アドレス３０１、切替元を示す切替元アドレス３０２、端末切替え後の少なくとも１つ以上のデータ出力先を決定するデータ伝送先アドレス情報３０３を有する。データ伝送先アドレス情報３０３は、メディアデータのデータ伝送先アドレスとデータ種別により構成されている。データ伝送先アドレスは、伝送先の数だけ存在する。
【００３７】
図１に示すように、セッション制御部２０７には、セッションデータベース（以下、セッションＤＢという）２０９が接続されている。セッションＤＢ２０９は、端末切替部２０８によるサービス受信端末の切替えにより変化するセッション状態およびセッション開設／切断に伴うセッション状態を管理する。ここで、セッションＤＢ２０９に管理されたデータの例を示す。
【００３８】
図４（ａ）は、セッションＤＢ２０９に記憶されたデータの構成例を示す図である。セッションＤＢ２０９は、セッションの相手先アドレスとなる送信先アドレス４００、そのセッションで送受信されるメディアデータの種別を示すデータ種別４０１、メディアデータの送信先となるデータ送信先アドレス４０２、メディアデータの受信先となるデータ受信先アドレス４０３、送信先アドレス４００で示した相手先通信端末が保有するメディアデータ処理機能のうちデータ種別４０１以外のデータ種別４０４により構成されている。すなわち、送信先アドレス４００の通信端末の機能は、データ種別４０１と送信先データ種別４０４との組合せからなる。
【００３９】
次に、本実施の形態におけるサービス受信端末の切替えの動作について説明する。ここでは、一つのモバイル端末から複数の通信端末への切替えを実現可能とするシーケンスの例について説明する。以下の説明では、セッション制御プロトコルとしてＳＩＰ（ＳｅｓｓｉｏｎＩｎｉｔｉａｔｉｏｎＰｒｏｔｏｃｏｌ：ＩＥＴＦ  ＲＦＣ３５４３）、音声や映像などのメディアデータ送受信プロトコルとしてＲＴＰ（Ｒｅａｌ−ｔｉｍｅＴｒａｎｓｐｏｒｔＰｒｏｔｏｃｏｌ：ＩＥＴＦ  ＲＦＣ１８９０）を利用する。
【００４０】
モバイル端末１０１の端末能力は、２．２インチなどの小さい表示画面、音声コーデック・エンコードはＡＭＲ、Ｇ．７１１、映像コーデック・エンコードはＭＰＥＧ４とする。通信端末１０２は、モバイル端末１０１と同等の小型画面を持ち、マイク付き高音質スピーカを持つＴＶ電話用装置とし、その端末能力は、音声コーデック・エンコードはＧ．７１１、映像コーデック・エンコードはＭＰＥＧ４とする。また、通信端末１０３は、大画面表示が可能なカメラ付きプロジェクタとし、その端末能力は、音声コーデック・エンコードはＧ．７１１、映像コーデック・エンコードはＭＰＥＧ４とする。更に、通信端末１０４は、ＰＣとし、その端末能力は、音声コーデック・エンコードはＡＭＲ／Ｇ．７１１、映像コーデック・エンコードはＭＰＥＧ４とする。モバイル端末１０１または通信端末１０２〜１０４において、音声コーデック・エンコード、映像コーデック・エンコード等の端末能力は、各全体制御部２０３に格納されている。
【００４１】
図５は、モバイル端末１０１から通信端末１０２，１０３へのサービス切替えシーケンスの例である。切替え前の状態では、モバイル端末１０１は、通信端末１０４とマルチメディアデータ通信を行っている（Ｓ５００）。マルチメディアデータ通信としては、例えば、ＭＰＥＧ４、ＡＭＲのコーデック・エンコードでテレビ電話中の場合を想定する。このときのモバイル端末１０１のセッションＤＢ２０９に蓄積されたセッション状態を図４（ｂ）に、通信端末１０４のセッションＤＢ２０９に蓄積されたセッション状態を図４（ｄ）に示す。
【００４２】
このとき、モバイル端末１０１は、近接無線送受信部２０５により、他の通信端末１０２，１０３がモバイル端末１０１の周囲に存在することを検出すると、能力情報送受信部２０４が近接無線送受信部２０５を介してサービス探索依頼を実施する。サービス探索依頼を受けた通信端末１０２、１０３は、全体制御部２０３から自端末能力を能力情報送受信部２０４に通知し、能力情報送受信部２０４は近接無線送受信部２０５を利用し、モバイル端末１０１へ端末能力を応答として送信する。
【００４３】
次に、そのサービス探索依頼の応答を能力情報送受信部２０４から受信したモバイル端末１０１は、サービス決定部２０６により、図４の送信先データ種別４０４およびデータ種別４０２と、全体制御部２０３に保持した自端末能力と、受信した応答から、サービス受信端末を選定する。例えば、選定の仕方は、サービス決定部２０６に通信中の端末能力より、優れている端末能力という条件や、予めユーザにより設定されたプロファイル情報に従って、自動的に選定してもよい。また、その選定結果を、入出力部２０２を介しディスプレイに表示出力させ、最終的な決定をユーザに依頼してもよい。
【００４４】
本実施の形態では、サービス端末決定部２０６により、自動的に、モバイル端末１０１の端末能力より優れている音声データ入出力装置として、高音質スピーカを保持する通信端末１０２、映像データ入出力装置として大画面を持つ通信端末１０３が選択されたものとする。そして、サービス端末決定部２０６は、検出した結果を全体制御部２０３へ通知する（Ｓ５０１）。
【００４５】
モバイル端末１０１の全体制御部２０３は、その結果を受け、端末切替部２０８へセッション制御によるサービス受信端末の切替えを依頼する。端末切替部２０８は、２つの通信端末１０２、１０３への切替えを図３（ｂ）に示すように、切替先アドレス３０１が制御信号のやり取りする端末として通信端末１０３のアドレス、切替元アドレス３０２はモバイル端末１０１のアドレス、データ伝送先アドレス情報３０３−１は通信端末１０３のアドレス、ＭＰＥＧ４、データ伝送先アドレス情報３０３−２は通信端末１０２のアドレス、Ｇ．７１１とセットし、端末切替えメッセージを作成する。
【００４６】
セッション制御プロトコルがＳＩＰであることから、セッション転送のＲＥＦＥＲメソッド（ＩＥＴＦ  ＲＦＣ３５１５）を利用し、端末切替指示３００、切替先アドレス３０１、切替元アドレス３０２をＲＥＦＥＲメソッドにおけるヘッダとし、データ伝送先アドレス情報３０３をＲＥＦＥＲメソッドのボディ、すなわち、拡張部とする。なお、この拡張部にはＳＤＰ（ＳｅｓｓｉｏｎＤｉｓｃｒｉｐｔｉｏｎＰｒｏｔｏｃｏｌ：ＩＥＴＦ  ＲＦＣ２３２７）などのようなセッション記述プロトコルを用いてもよい。
【００４７】
モバイル端末１０１は、作成した端末切替メッセージ（ＲＥＦＥＲメソッド）を通信端末１０３宛てにネットワーク送受信部２００から送信する（Ｓ５０２）。通信端末１０３の端末切替部２０８は、モバイル端末１０１から送信された端末切替メッセージを受信すると、切替先アドレスとなっている通信端末１０４宛てに、ＩＮＶＩＴＥメソッドを送信する（Ｓ５０３）。ここで送信されるＩＮＶＩＴＥメソッドには、ＲＥＦＥＲメソッドのデータ伝送先アドレス情報３０３に設定された内容が設定される。このとき、端末切替部２０８は、通信端末１０３の全体制御部２０３に蓄積された端末能力が、受信したデータ伝送先アドレス情報３０３に設定された種別以上にあった場合でも、通常のＩＮＶＩＴＥメソッドのようには設定してはならない。
【００４８】
つまり、本実施の形態の場合には、通信端末１０３の音声コーデック・エンコードであるＧ．７１１は、通信端末１０３は、処理できるデータではあるが、モバイル端末１０１から指定された端末能力ではないことから設定することはできない。これにより、送信元のモバイル端末１０１は、メディアデータ毎に担当する通信端末を指定することができる。
【００４９】
通信端末１０４は、ＩＮＶＩＴＥメソッドを受信すると、ＩＮＶＩＴＥメソッド応答を端末切替部２０８で作成し、通信端末１０３宛てに送信し（Ｓ５０３）、映像データを通信端末１０３宛てに、音声データを通信端末１０２宛てに送受信するようにデータ送受信部２０１に設定する（Ｓ５０４、Ｓ５０５）。次に、通信端末１０３は、ＩＮＶＩＴＥメソッド応答を受信すると、端末切替部２０８によって、ＲＥＦＥＲメソッド（Ｓ５０２）の応答となるＮＯＴＩＦＹメソッドを作成し、モバイル端末１０１への送信依頼をネットワーク送受信部２００に指示（Ｓ５０６）する。通信端末１０３、１０４のセッションＤＢ２０９は、端末切替部２０８により図４（ｃ）、図４（ｅ）に示す状態に更新される。
【００５０】
モバイル端末１０１は、ＮＯＴＩＦＹメソッドの受信を検出すると、セッション切断となるＢＹＥメソッドをセッション制御部２０７によって作成し、通信端末１０４宛に送信する（Ｓ５０７）。その後、モバイル端末１０１は、セッションＤＢ２０９をクリアして、図４（ａ）の状態に更新する。
【００５１】
以上の処理により、モバイル端末１０１と通信先端末１０４との間で確立していたテレビ電話のセッションを、モバイル端末１０１から通信端末１０２、通信端末１０３の２台の通信端末へ切り替えることが可能となる。
【００５２】
第１の実施の形態では、従来のモバイル端末１０１に、サービス端末決定部２０６と端末切替部２０８を設け、各通信端末に送信するメッセージに、メディアデータ毎に担当する通信端末を記述することができるようになった。これにより、ユーザは、モバイル端末１０１を介し、複数の端末能力を持つ少なくとも１つの通信端末に対し、サービス受信端末の切替え後に利用する端末能力を、メディアデータ毎に指定し、モバイル端末１０１で受信していたサービスを再現することが可能となり、ユーザのサービス享受に関する利便性を向上させることが可能になる。
【００５３】
（第２の実施の形態）
図６は、本発明の第２の実施の形態に係るモバイル端末１０１の構成図である。なお、通信端末１０２〜１０４は、モバイル端末１０１と同じ構成を有する。
【００５４】
第２の実施の形態に係るモバイル端末１０１の構成は、基本的には、第１の実施の形態に係るモバイル端末１０１と同じであるが、端末変更送受信部６００をさらに備えている点が異なる。
【００５５】
端末変更送受信部６００は、近接無線送受信部２０５および全体制御部２０３の間に設けられる。端末変更送受信部６００は、ＰＡＮ１０５を構成する通信端末から、メディアデータ出力先となる通信端末の変更依頼を受信すると、全体制御部２０３へ、その指示を出す。また、端末変更送受信部６００は、全体制御部２０３からの端末変更依頼を、ＰＡＮ１０５を構成する通信端末へ送信する。ここで、端末送受信部６００が送受信するメディアデータ出力先変更メッセージについて説明する。なお、本実施の形態での「変更」とは、他の通信端末が利用しているサービスのうち、任意のメディアデータを自端末であるモバイル端末１０１に移し変えることである。このため、変更されたメディアデータを利用していた他の通信端末は、変更後は、そのメディアデータを利用していない。
【００５６】
図７（ａ）は、近接無線送受信部２０５を介して、端末変更送受信部６００が送受信するメディアデータ出力先変更メッセージのデータ構成例を示す図である。図７（ａ）に示すように、メディアデータ出力先変更メッセージは、変更依頼を示すＥｘｃｈａｎｇｅ７００と、メディアデータの出力先を示すメディアデータ出力先情報７０１を有する。メディアデータ出力先情報７０１は、メディアデータの出力元アドレスである操作元アドレス、メディアデータの出力先アドレスである操作先アドレス、出力先のメディアデータのデータ種別で構成されている。メディアデータ出力先情報７０１は、出力先を変更する数だけ存在する。
【００５７】
図８は、第２の実施の形態におけるメディアデータ出力先変更の動作を示す図である。変更前の状態は、テレビ電話中の状態であり、通信端末１０３と通信端末１０４の間ではＭＰＥＧ４の映像データを送受信しており（Ｓ９００）、通信端末１０２と通信端末１０４の間では、Ｇ．７１１の音声データを送受信している（Ｓ９０１）。第２の実施の形態では、この状態から、メディアデータ出力先変更の例について説明する。
【００５８】
以下の説明では、第１の実施の形態と同様に、セッション制御プロトコルとしてＳＩＰ、音声や映像などのメディアデータ送受信プロトコルとしてＲＴＰを利用する。また、モバイル端末１０１、通信端末１０２〜１０４の保有する端末能力は、実施の形態１と同様のものとする。
【００５９】
モバイル端末１０１を所持するユーザが、他の通信端末１０２、１０３のメディアデータの出力先をモバイル端末１０１へ変更する指示を入出力部２０２へ入力すると、それが全体制御部２０３へ指示される。
【００６０】
次に、モバイル端末１０１は、能力情報送受信部２０４に搭載された機能を、近接無線送受信部２０５を介して利用し、ＰＡＮ１０５内の通信端末１０２、通信端末１０３の端末能力を問い合わせる。通信端末１０２，１０３の能力情報送受信部２０４は、モバイル端末１０１からの端末能力の問い合わせを受信すると、全体制御部２０３に格納された自端末能力を応答として作成し、作成した応答をモバイル端末１０１宛てに送信する。
【００６１】
モバイル端末１０１の全体制御部２０３は、端末能力問合せの応答受信を検出すると、入出力部２０２から、その結果を画面出力する（Ｓ９０２）。
【００６２】
本実施の形態では、モバイル端末１０１を所持するユーザは、画面出力に基づいて、通信端末１０２の音声データを、モバイル端末１０１へ変更する指示を入出力部２０２へ入力する。モバイル端末１０１は、入力されたメディアデータの出力先変更指示を全体制御部２０３へ通知する。そして、モバイル端末１０１は、端末変更送受信部６００によって、メディア出力先変更メッセージを作成する。ここで作成されるメディアデータ出力先変更メッセージは、図７（ｂ）に示すように、Ｅｘｃｈａｎｇｅ７００と、操作元アドレスとしてモバイル端末１０１のアドレス、操作先アドレスとして通信端末１０２のアドレス、データ種別としてＧ．７１１を含む。モバイル端末１０１は、作成したメッセージを端末変更送受信部６００によって、近接無線送受信部２０５を介して、通信端末１０３宛てに送信する（Ｓ９０３）。
【００６３】
通信端末１０３は、メディアデータ出力先変更メッセージの受信を検知すると、映像データは伝送先を変更せず、音声データの伝送先がモバイル端末アドレス１０１とした通信端末１０４宛てのＩＮＶＩＴＥメソッドをセッション制御部２０７によって作成し、ネットワーク送受信部２００を介して送信する（Ｓ９０４）。
【００６４】
通信端末１０４が、ＩＮＶＩＴＥメソッドの受信を検出すると、セッション制御部２０７によって、ＩＮＶＩＴＥメソッドに対する応答を作成し、送信するとともに、セッションＤＢ２０９を更新する。
【００６５】
そして、通信端末１０４は、受信したＩＮＶＩＴＥメソッドのボディに記述されたＳＤＰに合わせて、データ送受信部２０１を用いてメディアデータの出力先を変更する。これにより、セッションＤＢ２０９は、図９（ｃ）から図９（ｄ）に書き換わる（Ｓ９０４）。すなわち、データ種別がＭＰＥＧ４の映像データの出力先は、通信端末１０３のままとなり（Ｓ９０５）、データ種別がＧ．７１１の音声データの出力先は、通信端末１０２からモバイル端末１０１へ変わる（Ｓ９０６）。
【００６６】
通信端末１０３が、ＩＮＶＩＴメソッドの応答を受信したことを検出すると、端末切替部２０７によってセッションＤＢ２０９を更新する。通信端末１０３の受信するメディアデータに変更はないが、同じサービスのうち、音声データについては、出力先が、通信端末１０３からモバイル端末１０１に変更するため、通信端末１０３のセッションＤＢ２０９は、図９（ａ）から図９（ｂ）へ書き換わる。
【００６７】
以上の処理により、通信先端末１０４および通信端末１０２との間で送受信していたテレビ電話の音声データの出力先を、テレビ電話に参加していなかったモバイル端末１０１へ変更することが可能となる。
【００６８】
第２の実施の形態では、メディアデータの出力先の変更依頼を作成および送信する端末変更送受信部６００を設けたことにより、サービス受信していないモバイル端末１０１が、ＰＡＮ１０５を構成し、複数のメディアデータで構成されたマルチメディアサービスを受信中にメディアデータの少なくとも一つの出力先の変更を可能にする。
【００６９】
これにより、ユーザは、メディアデータの出力先を、サービス受信していないモバイル端末１０１に変更可能となる。モバイル端末１０１への変更により、サービスの一部を持ち運び可能にし、ユーザのサービス享受に関する利便性を向上させることが可能になる。
【００７０】
（第３の実施の形態）
図１０は、第３の実施の形態に係るモバイル端末１０１の構成を示す図である。なお、通信端末１０２〜１０４は、モバイル端末１０１と同じ構成を有する。
【００７１】
第３の実施の形態に係るモバイル端末１０１の構成は、基本的には、第１の実施の形態に係るモバイル端末１０１と同じであるが、複製依頼送受信部１０００をさらに備えている点が異なる。
【００７２】
複製依頼送受信部１０００は、全体制御部２０３および近接無線送受信部２０５の間に設けられる。複製依頼送受信部１０００は、ＰＡＮ１０５を構成する通信端末から、メディアデータ複製依頼を受信すると、全体制御部２０３へ、その指示を出す。また、複製依頼送受信部１０００は、全体制御部２０３からの指示を、ＰＡＮ１０５を構成する通信端末へ送信する。なお、本実施の形態において、「複製」とは、他の通信端末が利用しているサービスのうち任意のメディアデータを、自端末であるモバイル端末１０１でも利用することである。このため、複製されたメディアデータを利用していた他の通信端末は、複製後も引き続き、そのメディアデータを利用している。
【００７３】
図１１（ａ）は、近接無線送受信部２０５を介して端末変更送受信部１０００が送受信するメディアデータ複製依頼メッセージのデータ構成例である。メディアデータ複製依頼メッセージは、複製依頼であることを示すＣｏｐｙ１１００と、複製されたメディアデータの出力先を示すメディアデータ複製先情報１１０１とを有する。メディアデータ複製先情報１１０１は、メディアデータの複製元アドレスである操作元アドレス、メディアデータの複製先アドレスである操作先アドレス、複製するメディアデータ種別で構成されている。メディアデータ複製先情報１１０１は、複製するメディアデータの数だけ存在する。
【００７４】
図１２は、複製されたメディアデータの出力先の追加動作を示す図である。追加前の状態では、通信端末１０３と通信端末１０４の間では、ＭＰＥＧ４の映像データを送受信しており（Ｓ１３００）、通信端末１０２と通信端末１０４の間ではＧ．７１１の音声データを送受信している（Ｓ１３０１）。第３の実施の形態では、この状態から、複製されたメディアデータの出力先の追加を行う例について説明する。以下の説明では、実施の形態１と同様に、セッション制御プロトコルとしてＳＩＰ、音声や映像などのメディアデータ送受信プロトコルとしてＲＴＰを利用する。また、モバイル端末１０１、通信端末１０２〜１０４の保有する端末能力は、第１の実施の形態と同様のものとする。
【００７５】
モバイル端末１０１を所持するユーザが、メディアデータの複製をモバイル端末１０１へ移す指示を入出力部２０２へ入力すると、その複製指示が全体制御部２０３へ通知される。
【００７６】
次に、モバイル端末１０１は、能力情報送受信部２０４に搭載された機能を利用し、ＰＡＮ１０５内の通信端末１０２、通信端末１０３の端末能力を、近接無線送受信部２０５を介して問い合わせる。通信端末１０２，１０３の能力情報送受信部２０４が、端末能力の問い合わせを受信すると、通信端末１０２，１０３は、全体制御部２０３に格納された自端末能力を応答として作成し、作成した応答をモバイル端末１０１宛てに近接無線送受信部２０５を介して送信する。
【００７７】
モバイル端末１０１の全体制御部２０３は、端末能力問合せの応答受信を検出すると、入出力部２０２から、その結果を画面出力する（Ｓ１３０２）。
【００７８】
本実施の形態では、モバイル端末１０１を所持するユーザは、画面出力に基づいて、通信端末１０２の音声データを、モバイル端末１０１へ複製する指示を入出力部２０２へ入力する。モバイル端末１０１は、入力されたメディアデータの複製指示を全体制御部２０３へ通知する。そして、モバイル端末１０１は、複製依頼送受信部１０００によって、メディアデータ複製メッセージを作成する。
【００７９】
ここで作成されるメディアデータ複製メッセージは、図１１（ｂ）に示すように、Ｃｏｐｙ１１００と、操作元アドレスとしてモバイル端末１０１のアドレス、操作先アドレスとして通信端末１０２のアドレス、データ種別としてＧ．７１１を含む。モバイル端末１０１は、作成したメディアデータ複製メッセージを複製依頼送受信部１０００によって、近接無線送受信部２０５を介して、通信端末１０３宛てに送信する（Ｓ１３０３）。
【００８０】
通信端末１０３が、複製依頼送受信部１０００でメディアデータ複製メッセージの受信を検知すると、受信中の映像データおよび音声データの伝送先は変更せず、音声データの出力先のアドレスを解析する。ここでは、出力先アドレスは、モバイル端末１０１のアドレスであると解析される。次に、全体制御部２０３は、端末切替部２０８に対し、通信端末１０４宛てのＲＥＦＥＲメソッドを作成するように依頼する。端末切替部２０８は、作成したＲＥＦＥＲメソッドを、ネットワーク送受信部２００を介し、通信端末１０４宛てに送信する（Ｓ１３０４）。
【００８１】
なお、このとき、通信端末へ複数のメディアデータの複製を受信させるためには、ＲＥＦＥＲメソッドは、第１の実施の形態で説明した図３（ａ）に示すデータ構成を用いればよいことは、容易に類推できる。
【００８２】
通信端末１０４が、ＲＥＦＥＲメソッドを受信したことを検出すると、端末切替部２０７によって、ＲＥＦＥＲメソッドのボディに格納されたＳＤＰをＩＮＶＩＴＥメソッドのＳＤＰとして作成して、モバイル端末１０１宛てにネットワーク送受信部２００を介して送信する。また、通信端末１０４は、端末切替部２０８がＩＮＶＩＴＥメソッドを送信したことを検出すると、ＩＮＶＩＴＥメソッドで記述されたＳＤＰに合わせて、メディアデータの出力先を変更する（Ｓ１３０５）。
【００８３】
モバイル端末１０１が、ＩＮＶＩＴＥメソッドの受信を検出すると、端末切替部２０８によって、ＩＮＶＩＴＥメソッドの応答を作成して通信端末１０４宛てに送信する。
【００８４】
また、モバイル端末１０１は、データ送受信部２０１にＳＤＰに書かれたデータ送信先アドレスを設定し、音声データ送受信の準備をする。
【００８５】
通信端末１０４が、ＩＮＶＩＴＥメソッドの応答の受信を検出すると、端末切替部２０７によってセッションＤＢ２０９を更新し、さらに、端末切替部２０８はＲＥＦＥＲメソッドの応答としてＮＯＴＩＦＹメソッドを作成し、通信端末１０３宛てに送信する。また、通信端末１０４のデータ送受部２０１は、通信端末１０２宛てに送信する音声データの複製を送信し、逆に、通信端末１０２からの音声データを受信できるように準備を依頼する。
【００８６】
その結果、通信端末１０４のセッションＤＢ２０９は、図１３（ｂ）から図１３（ｃ）へ書き換えられ、複製処理前から利用していた通信端末１０２と通信端末１０３におけるデータ送受信には変更を加えず（Ｓ１３０６、Ｓ１３０７）、複製処理によって追加された音声データはモバイル端末１０１へ送信される（Ｓ１３０８）。
【００８７】
モバイル端末１０１が、ＮＯＴＩＦＹメソッドの応答の受信を検出すると、端末切替部２０８によってセッションＤＢ２０９を更新する。これにより、セッションＤＢ２０９は、図１３（ａ）から図１３（ｄ）へ書き換わり、通信端末１０４とモバイル端末１０１との音声の送受信についての記述が加わる。
【００８８】
以上の処理により、通信端末１０４および通信端末１０２との間で送受信していたテレビ電話の音声データを、モバイル端末１０１から指定し、受信可能にすることができる。
【００８９】
第３の実施の形態では、メディアデータ複製依頼を送信可能な複製依頼送受信部１０００を設けたことにより、各通信端末に送信するメッセージに、利用中のサービスのうち、メディアデータ毎に担当する通信端末を記述することができるようになった。これにより、ＰＡＮ１０５を構成する通信端末が利用しているメディアデータを、ＰＡＮ内の他の通信端末が複製を指示することで、当該メディアデータを利用可能にすることができる。
【００９０】
また、据え置き通信端末で受信中のメディアデータを、モバイル端末１０１でも受信可能、つまり、通信中のメディアデータの一部の持ち運びを可能にしていることから、ユーザのサービス享受に関する利便性を向上できる。
【００９１】
以上、本発明の通信端末について、実施の形態を挙げて詳細に説明したが、本発明は上記した実施の形態に限定されるものではない。
【００９２】
第１〜第３の実施の形態では、ＩＰネットワーク１００を介したセッション制御用にＳＩＰ（ＳｅｓｓｉｏｎＩｎｉｔｉａｔｉｏｎＰｒｏｔｏｃｏｌ）を利用したが、ＩＰネットワークにおけるセッション制御プロトコルであればよく、ＳＩＰに限定するものではない。
【００９３】
また、第１〜第３の実施の形態における端末能力とは、メディアデータのコーデック／エンコードの種別、画面のサイズ、搭載するアプリケーションなど、通信端末に係る能力全般を指すものである。また、端末能力を獲得するためのプロトコルを限定するものではない。
【００９４】
また、第１〜第３の実施の形態では、通信端末１０２、通信端末１０３のメディアデータの送受信準備、つまり、データ送受信部２０１へのコーデック・エンコード、および、送受信アドレスなどの準備方法については、特に限定していない。そのため送受信準備は、電源ＯＮされた状態から準備されていてもよいし、能力情報送受信部２０４により自端末能力を他端末へ通知するときに準備してもよいし、通信端末１０３がＩＮＶＩＴＥメソッドの受信（Ｓ５０３）により、自端末の準備をすると同時に、通信端末１０３が近接無線通信部２０５を利用することで、通信端末１０２に対して、送受信アドレスなどの情報を通知し受信準備をさせてもよい。
【００９５】
また、第１〜第３の実施の形態では、通信端末１０２もセッション制御２０７、端末切替部２０８を有するとしたが、どちらも保持していなくてもよく、つまり、サービス受信端末切替えにおける切替先通信端末の少なくとも１台がその機能を有すればよい。
【００９６】
また、第１〜第３の実施の形態では、モバイル端末１０１、通信端末１０２，通信端末１０３の間には、アクセス認証および内部リソースの利用可能範囲といったアクセス範囲が存在してもよい。
【００９７】
また、第１の実施の形態では、モバイル端末が自端末能力より優れた端末能力を所有する通信端末を発見した場合には、自動的に、複数通信端末へサービス受信端末の切替えを実施してもよいし、ＰＡＮ１０５を構成される通信端末の端末能力を獲得した時点で入出力部２０２を介して、ユーザへＧＵＩ／アラームなどで通知し、切替えの有無をユーザが選択してもよいし、あらかじめ、切替えに対するユーザの意向がプロファイルとして、モバイル端末内に格納されていてもよいし、特に限定するものではない。
【００９８】
また、第１の実施の形態では、切替先通信端末として通信端末１０３を用いて説明したが、通信端末１０２を利用してもよく、そのときの処理は容易に類推できる。
【００９９】
また、第２、第３の実施の形態では、モバイル端末を保持するユーザの意向を、インタラクティブな入力でメディアデータの出力先変更を決定し実施したが、モバイル端末にユーザの意向をプロファイルとして蓄積させることで、入力を自動にすることも可能である。
【０１００】
また、第２の実施の形態では、モバイル端末１０１へ新規にセッションを開設せず、通信端末１０３のセッションのまま、メディアデータの出力先だけを変更したが、新規にセッションを開設してもよい。
【０１０１】
また、第３の実施の形態では、モバイル端末１０１へ新規にセッションを開設したが、通信端末１０３のセッションのまま、メディアデータの出力先だけを変更し、新規にセッションを開設しなくてもよい。
【０１０２】
なお、セッション接続の移行とは、メディアデータの切り替え、変更、複製を含むものである。
【産業上の利用可能性】
【０１０３】
以上説明したように、本発明によれば、ユーザのサービス享受に関する利便性を向上させることが可能となり、最適な通信端末への切替え、および、サービスモビリティを実現する通信端末等として有用である。
【図面の簡単な説明】
【０１０４】
【図１】第１の実施の形態における通信端末の機能構成を示す図
【図２】実施の形態の全体構成を示す図
【図３】（ａ）端末切替メッセージのデータ構成の例を示す図（ｂ）端末切替メッセージの具体例を示す図
【図４】（ａ）第１の実施の形態における通信端末が保持するセッションＤＢのデータ構成例を示す図（ｂ）第１の実施の形態において切替前のモバイル端末のセッションＤＢのデータを示す図（ｃ）第１の実施の形態において切替前の通信端末のセッションＤＢのデータを示す図（ｄ）第１の実施の形態において切替前の通信端末のセッションＤＢのデータを示す図（ｅ）第１の実施の形態において切替後の通信端末のセッションＤＢのデータを示す図
【図５】第１の実施の形態における端末切替シーケンスを示す図
【図６】第２の実施の形態における通信端末の機能構成を示す図
【図７】（ａ）メディア出力先変更メッセージのデータ構成例を示す図（ｂ）メディア出力先変更メッセージの具体例を示す図
【図８】第２の実施の形態におけるメディア出力先変更シーケンスを示す図
【図９】（ａ）第２の実施の形態において切替前の通信端末のセッションＤＢのデータを示す図（ｂ）第２の実施の形態において切替後の通信端末のセッションＤＢのデータを示す図（ｃ）第２の実施の形態において切替前の通信端末のセッションＤＢのデータを示す図（ｄ）第２の実施の形態において切替後の通信端末のセッションＤＢのデータを示す図
【図１０】第３の実施の形態における通信端末の機能構成を示す図
【図１１】（ａ）第３の実施の形態で利用されるメディア複製メッセージのデータ構成例を示す図（ｂ）メディア複製メッセージの具体例を示す図
【図１２】第３の実施の形態におけるメディア複製シーケンスを示す図
【図１３】（ａ）第３の実施の形態において複製前の通信端末のセッションＤＢのデータを示す図（ｂ）第３の実施の形態において複製後の通信端末のセッションＤＢのデータを示す図（ｃ）第３の実施の形態において複製前の通信端末のセッションＤＢのデータを示す図（ｄ）第３の実施の形態において複製後の通信端末のセッションＤＢのデータを示す図
【符号の説明】
【０１０５】
１００  ＩＰネットワーク
１０１  モバイル端末
１０２  通信端末
１０３  通信端末
１０４  通信端末
１０５  ＰＡＮ
２００  ネットワーク送受信部
２０１  データ送受信部
２０２  入出力部
２０３  全体制御部
２０４  能力情報送受信部
２０５  近接無線送受信部
２０６  サービス端末決定部
２０７  セッション制御部
２０８  端末切替部
２０９  セッションＤＢ
６００  端末変更送受信部
１０００  複製依頼送受信部
【図１】
0004410748.tif 000002
【図２】
0004410748.tif 000003
【図３】
0004410748.tif 000004
【図４】
0004410748.tif 000005
【図５】
0004410748.tif 000006
【図６】
0004410748.tif 000007
【図７】
0004410748.tif 000008
【図８】
0004410748.tif 000009
【図９】
0004410748.tif 000010
【図１０】
0004410748.tif 000011
【図１１】
0004410748.tif 000012
【図１２】
0004410748.tif 000013
【図１３】
0004410748.tif 000014